(57)【特許請求の範囲】
【請求項１】
容器（１）の口部（２）に、かつ上から下に順次設けられた螺条（３）及び突部（４）；前記口部（２）に装着する合成樹脂製で、頂壁（５）と、内面に螺溝を有する筒部（６）、及び該筒部（６）の下端に形成された下部が前記突部（４）より大径となる傾斜部（７）から成るキャップ（８）の本体（９）；前記傾斜部（７）の下端に複数の連接部（１０）を介して一体に設けられたリング（１１）；該リング（１１）に、基端部（１２）が該リング（１１）の厚み方向において、多くとも内周面（１３）と同一面に達して設けられ、かつ先端部（１４）が前記内周面（１３）より内側に突出して設けられた係止部材（１５）；前記先端部（１４）に形成された、該キャップ（８）の、前記口部（２）に装着の際に、前記突部（４）の下に入り上下方向に係止する係止部（１６）；から成る容器の開閉装置であって；
前記基端部（１２）と係止部（１６）間にはアーム（１８）が、リング（１１）の厚み方向において多くとも内周面（１３）と同一面に達して設けられていることを特徴とする容器の開閉装置。
【請求項２】
前記係止部（１６）はその上面（１７）が水平面を形成していることを特徴とする請求項１記載の容器の開閉装置。
【請求項３】
前記係止部（１６）はその内面（１９）に、先端部（１４）方向及び又は基端部（１２）方向に内側程小周となる斜面（２０、２１）を有している請求項１、又は２記載の容器の開閉装置。
【請求項４】
前記基端部（１２）はリング（１１）の上面（２２）から立設させられている請求項１、２、又は３記載の容器の開閉装置。
【請求項５】
容器（１）の口部（２）に、かつ上から下に順次設けられた螺条（３）及び突部（４）；前記口部（２）に装着する合成樹脂製で、頂壁（５）と、内面に螺溝を有する筒部（６）、及び該筒部（６）の下端に形成された下部が前記突部（４）より大径となる傾斜部（７）から成るキャップ（８）の本体（９）；前記傾斜部（７）の下端に複数の連接部（１０）を介して一体に設けられたリング（１１）；該リング（１１）に、基端部（１２）が該リング（１１）の厚み方向において、多くとも内周面（１３）と同一面に達して設けられ、かつ先端部（１４）が前記内周面（１３）より内側に突出して設けられた係止部材（１５）；前記先端部（１４）に形成された、該キャップ（８）の、前記口部（２）に装着の際に、前記突部（４）の下に入り上下方向に係止する係止部（１６）；から成る容器の開閉装置であって；
前記係止部材（１５）は先端部（１４）がキャップの回動における閉止方向を向いて形成されていることを特徴とする容器の開閉装置。
【請求項６】
容器（１）の口部（２）に、かつ上から下に順次設けられた螺条（３）及び突部（４）；前記口部（２）に装着する合成樹脂製で、頂壁（５）と、内面に螺溝を有する筒部（６）、及び該筒部（６）の下端に形成された下部が前記突部（４）より大径となる傾斜部（７）から成るキャップ（８）の本体（９）；前記傾斜部（７）の下端に複数の連接部（１０）を介して一体に設けられたリング（１１）；該リング（１１）に、基端部（１２）が該リング（１１）の厚み方向において、多くとも内周面（１３）と同一面に達して設けられ、かつ先端部（１４）が前記内周面（１３）より内側に突出して設けられた係止部材（１５）；前記先端部（１４）に形成された、該キャップ（８）の、前記口部（２）に装着の際に、前記突部（４）の下に入り上下方向に係止する係止部（１６）；から成る容器の開閉装置であって；
前記係止部材（１５）は先端部（１４）がキャップの回動における閉止方向を向いて形成され、
前記基端部（１２）と係止部（１６）間にはアーム（１８）が、リング（１１）の厚み方向において多くとも内周面（１３）と同一面に達して設けられていることを特徴とする容器の開閉装置。
【請求項７】
係止部材（１５）は先端部（１４）がキャップの回動における開放方向を向いて形成されている請求項１、２、３、又は４記載の容器の開閉装置。
【請求項８】
アーム（１８）の下面又はリング（１１）の上面のいずれか一方は、アーム（１８）の下方への加圧による変形を抑制する脚部（３１）を有している請求項１、３、４、５、６又は７記載の容器の開閉装置。
【請求項９】
容器（１）の、突部（４）の下方の外径は係止部材（１５）の係止部（１６）の内径より小さく形成されている請求項１、２、３、４、５、６、７又は８記載の容器の開閉装置。
【発明の詳細な説明】
【０００１】
【発明の属する技術分野】
この発明は瓶等の容器の上部に構成して用いられる容器の開閉装置に関する。更に詳しくは不正開封を防止できる容器の開閉装置に関する。
【０００２】
【従来の技術】
従来、前記のように不正開封を防止できる容器の開閉装置としては各種の商品が市場に提供されている。その一例としては特公平５−５５３８６号公報記載のキャップが挙げられる。このキャップは不正開封防止機能を良好に果すものである。しかしこのキャップにおいても未だ問題点がある。それはそのキャップの容器口部への装着時において、表示バンドの内側に設けられた斜め上向きのストップリングが容器口部のビードに係止しているが、このような構成では、そのキャップの開放の際にストップリングの下部が蝶番として作用しているので、その蝶番部分は合成樹脂製のため撓みを起し弾性変形するから、上記開放の際に破断されるブリッジが直ちには破断せず、使用者にもどかしさを与えることである。又他の問題として前記のストップリングは、キャップの成型の際には脱型の必要上斜め下向きに型成する。そして上記ストップリングを斜め上向きに反転させなければならない。
【０００３】
即ち加工工程が多くなり、しかもそれは成型後キャップが硬化してしまわないうちに行わなければならずその作業が面倒である。
このような問題を改良するものとしては、特公昭５８−３２１０５号公報記載の容器蓋が挙げられる。この容器蓋は前記表示バンドに相当するピルファープルーフ裾部の内部に、前記ビードに相当するあご部に係止するフラップ片を周方向に形成したものであり、これにより、前記のブリッジの容易に破断しないもどかしさの問題と、ストップリング反転加工の問題は解決された。しかし、このように改良されたキャップにおいては予想されない他の問題が派生していた。それは前記のようにフラップ片をピルファープルーフ裾部の内側に形成したことにより、このキャップを容器の口部に装着する場合、前記フラップ片はあご部により半径方向外方に変形させられるが、その変形は前記ピルファープルーフ裾部の内面により止められてしまい、それ以上の変形ができないのである。このためキャップの装着は強い力を要することとなり、その力により前記ブリッジに相当する橋絡部が破損する恐れを有する。
【０００４】
【発明が解決しようとする課題】
この発明は前記のような問題を解決するためになされたもので、その目的はキャップの容器口部への装着時において、容器口部のあご部の下面にリングに設けた係止片が係止し、開放時において前記リングとキャップ本体間のブリッジが破断する形式の容器の開閉装置において、前記従来例に見るようなブリッジの破断の容易に起こらないもどかしさがなく、又ストップリング反転等の面倒で余分な製造工程を必要とせず、しかもキャップを容器口部に装着する場合に、充分に半径方向外方へ弾性変形して容器口部に設けられたあご部を容易に通過させ、ブリッジ破断の恐れの全くない係止部材を有する、容器の開閉装置を提供することである。
【０００５】
【課題を解決するための手段】
前記の目的を達成するこの発明の容器の開閉装置について述べるとそれは、容器１の口部２に、かつ上から下に順次設けられた螺条３及び突部４；前記口部２に装着する合成樹脂製で、頂壁５と、内面に螺溝を有する筒部６、及び該筒部６の下端に形成された下部が前記突部４より大径となる傾斜部７から成るキャップ８の本体９；前記傾斜部７の下端に複数の連接部１０を介して一体に設けられたリング１１；該リング１１に、基端部１２が該リング１１の厚み方向において、多くとも内周面１３と同一面に達して設けられ、かつ先端部１４が前記内周面１３より内側に突出して設けられた係止部材１５；前記先端部１４に形成された、該キャップ８の、前記口部２に装着の際に、前記突部４の下に入り上下方向に係止する係止部１６；から成ることを特徴とする容器の開閉装置であって；前記基端部１２と係止部１６間にはアーム１８が、リング１１の厚み方向において多くとも内周面１３と同一面に達して設けられていることを特徴とする容器の開閉装置である。
【０００６】
この発明は、前記係止部１６はその上面１７が水平面を形成していることを特徴とする容器の開閉装置である。
【０００７】
この発明は、前記係止部１６はその内面１９に、先端部１４方向及び又は基端部１２方向に内側程小周となる斜面２０、２１を有している容器の開閉装置である。
【０００８】
この発明は、前記基端部１２はリング１１の上面２２から立設させられている容器の開閉装置である。
【０００９】
この発明は、容器１の口部２に、かつ上から下に順次設けられた螺条３及び突部４；前記口部２に装着する合成樹脂製で、頂壁５と、内面に螺溝を有する筒部６、及び該筒部６の下端に形成された下部が前記突部４より大径となる傾斜部７から成るキャップ８の本体９；前記傾斜部７の下端に複数の連接部１０を介して一体に設けられたリング１１；該リング１１に、基端部１２が該リング１１の厚み方向において、多くとも内周面１３と同一面に達して設けられ、かつ先端部１４が前記内周面１３より内側に突出して設けられた係止部材１５；前記先端部１４に形成された、該キャップ８の、前記口部２に装着の際に、前記突部４の下に入り上下方向に係止する係止部１６；から成る容器の開閉装置であって；
前記係止部材１５は先端部１４がキャップの回動における閉止方向を向いて形成されていることを特徴とする容器の開閉装置である。
【００１０】
この発明は、容器１の口部２に、かつ上から下に順次設けられた螺条３及び突部４；前記口部２に装着する合成樹脂製で、頂壁５と、内面に螺溝を有する筒部６、及び該筒部６の下端に形成された下部が前記突部４より大径となる傾斜部７から成るキャップ８の本体９；前記傾斜部７の下端に複数の連接部１０を介して一体に設けられたリング１１；該リング１１に、基端部１２が該リング１１の厚み方向において、多くとも内周面（１３）と同一面に達して設けられ、かつ先端部１４が前記内周面１３より内側に突出して設けられた係止部材１５；前記先端部１４に形成された、該キャップ８の、前記口部２に装着の際に、前記突部４の下に入り上下方向に係止する係止部１６；から成る容器の開閉装置であって；
前記係止部材１５は先端部１４がキャップの回動における閉止方向を向いて形成され、
前記基端部１２と係止部１６間にはアーム１８が、リング１１の厚み方向において多くとも内周面１３と同一面に達して設けられていることを特徴とする容器の開閉装置である。
【００１１】
この発明は、係止部材１５は先端部１４がキャップの回動における開放方向を向いて形成されている容器の開閉装置である。
【００１２】
この発明は、アーム１８の下面又はリング１１の上面のいずれか一方は、アーム１８の下方への加圧による変形を抑制する脚部３１を有している容器の開閉装置である。またこの発明は、容器１の、突部４の下方の外径は係止部材１５の係止部１６の内径より小さく形成されている容器の開閉装置である。
【００１３】
【実施例】
図１〜図５において１は容器であり、一例として瓶を示す。２はその口部でその外周に上部から下方に順次螺条３及び突部４が形成されている。８は合成樹脂製のキャップであり、９はその本体で、頂壁５とその周囲に設けられた、内側に螺溝を有する筒部６から成っている。７は該筒部６下端に形成された下部が前記突部４より大径となる傾斜部を示す。そして１１は該傾斜部７と破断し易い連接部１０を介して、一体に設けられた帯状のリングである。
【００１４】
又、該リング１１に、図３、図４において理解し易いように係止部材１５が、その基端部１２を該リング１１の厚み方向において、多くとも内周面１３と同一面に達して設けられており、かつその先端部１４が前記内周面１３より内側に突出して設けられている。そして前記先端部１４には係止部１６が設けられており、該係止部１６は、前記キャップ８を前記口部２に装着した場合に、前記突部４の下に入り込み、上下方向に係止するようになっている。なおこの係止部１６はその上面１７が、水平面に形成されている。又、前記係止部１６と前記基端部１２との間にはアーム１８が設けられ、該アーム１８は前記リング１１の厚さ方向において、多くともリング１１の内周面１３と同一面に達して設けられている。次に、前記係止部１６は、先端部方向及び又は基端部方向に内側程小周となる斜面２０、２１が形成されている。
【００１５】
又、前記基端部１２はリング１１の上面２２から上方に向けて柱状に立設させられておりキャップ装置の際にその上部は前記傾斜部７下端に圧接するようになっている。
次に前記係止部材１５は図５に示すようにキャップ８の回転における閉止方向を向いて形成されている。なお上記方向は図示は省略するが開放方向を向いて形成されていても良く、この発明においてはその両方を含むものである。
そして前記アーム１８の下面又はリング１１の上面のいずれか一方は、アーム１８の下方への加圧による変形を抑制する脚部３１が形成されている。
又前記容器１の、突部４の下方の外径は係止部材１５の係止部１６の内径より小さく形成されている。これにより前記連接部１０が破断された際にリング１１が直ちに落下するように形成されている。
【００１６】
次に図６に示すものは、この発明によるキャップ８の成型に用いる金型を示し、２４はキャビティー、２５はゲート、２６は二つ割りのスライドコア、２７は回転コア、２８は固定ピン、２９は固定コア、３０は離型コアである。図示のようにしてキャップ８が成型された後キャビティー２４は矢印Ａ２４方向に移動し、スライドコア２６は矢印Ａ２６方向に開いて移動し、回転コア２７が、キャップ８の螺解方向に回転しつつ図において下方に移動する。そして離型コア３０を前記矢印Ａ２４方向に移動させることにより、固定ピン２８及び固定コア２９からキャップ８が外し取られる。
なお図３及び図１において３１は前記アーム１８の下面に設けられた脚部であるが、これはこのほか図示は省略するがリング１１の上面に設けられていてもよい。この脚部３１は次のような作用を行う。キャップ８の装着の際はリング１１が突部４により上方に加圧され、このためアーム１８及び係止部１６が前記傾斜部７の下面に加圧された場合の支持部として前記アーム１８及び係止部１６等が加圧されて変形してしまうのを防止することができ、又係止部１６が前記突部４を押し上げる場合にはアーム１８を介してリング１１に圧接して反力を生じ、係止部１６が上方から押圧されて下方に変形してしまうのを防止することができ、これによりキャップ８開放の際に連接部１０に破断の力が直達し、壮快に破断させることができるようになっている。
【００１７】
前記のように構成されたこの容器の開閉装置はまず図２、３に示すようにキャップ８が容器１の口部２に装着され、前記係止部１６は前記突部４の下面に圧接する。この状態において不正にこのキャップ８を開放しようとすると、キャップ８は螺解により上昇し、リング１１は係止部１６と突部４の係止により上昇できず、このため連接部１０が破断し、リング１１は落下する。これにより不正な開放が露見する。消費者等が使用する場合は前記のようにキャップ８を螺解させ、連接部１０を破断させ、キャップ８を開放して容器１内の図示しない液体商品等を注出する。
【００１８】
【発明の効果】
この発明は、前記のように構成されたことにより、このキャップ８が不正に開放された場合、連接部１０は破断され、容器口部の下部の、容器１の肩部の上に落下する。これによりキャップ８が開放されたことが認められるから、不正な開放を防止することができる。又前記従来例に述べたような、ストップリングがバンドの内側に斜め上向きに形成されて、このストップリングが容器口部のビードに接当する形式でなく、係止部材１５はリング１１に基端部１２が、リング１１の厚み方向において多くとも内周面１３と同一面に達して設けられ、かつ先端部１４が前記内周面１３より内側に突出して設けられたことにより、キャップ８の開放の際に、係止部材１５の上下方向の弾性変形は大巾に少く形成されたことになり、このため連接部１０の破断は直ちに起り、破断しにくいもどかしさを解消できる。
又前記従来例のようなストップリング反転の余分な工程を省略できる。又係止部材１５はキャップ８装着の際にリング１１の厚み内に入って変形できるから、半径方向のフレキシビリティを増大させることができ、従ってキャップ８の装着の際に連接部１０の破損の恐れをなくすことができる。
【００１９】
この発明は、前記のように構成されたことによりその上面１７が全面的に前記突部４下面に接することができるから、キャップ８の螺解の際にリング１１の上昇を確実に抑止でき、連接部１０の破断を確実にかつ前記螺解と同時に直ちに壮快に破断させることができる。更に前記従来例の特公昭５９−３２１０５号におけるフラップ片は高さ方向に斜めに形成されているが、これではフラップ片があご部を押し上げる場合に周方向にずれを起し、強く直ちに押し上げられないもどかしさを与える。この発明の係止部１５はこれと異り、上面１７を水平面に形成したことにより、強く直ちに突部４を押し上げることができ、直ちに連接部１０を破断することができる。
【００２０】
この発明は前記のように構成されたことにより、係止部１６を前記基端部１２から離すことができ、これにより係止部１６に半径方向のフレキシビリティを増大できると共に、係止部１６が突部４を押し上げる際はアーム１８はリング１１に接して反力を生じるから、係止部１６は上下方向には剛性を発揮でき、これにより連接部１０の破断を直ちに壮快に行わせることができる。こうしてフレキシビリティと剛性の相反する機能を発揮させることができる。
【００２１】
この発明は、前記のように構成されたことにより、係止部１６を形成する金型から、該金型を回転させて脱型する場合に抵抗を少くすることができ、脱型を容易にすることができる。又他の効果として容器１の口部２にキャップ８を装着する場合に抵抗を少なくすることができ、このため、その際に連接部１０の破損の恐れをなくすことができる。
【００２２】
この発明は前記のように構成されたことにより、立ち上り部分は柱状に立ち上って形成されている結果このキャップ８を容器１の口部２に装着の際、この立上り部分はキャップ８の傾斜部７の下端に圧接する。このため前記傾斜部７とリング１１間に設けられている連接部１０に過大な力がかかって破損するのを防止することができる。
【００２３】
この発明は前記のように構成されたことにより、キャップ８成型後、回転金型を回転して脱型するが、その場合回転に対し順応方向となるため、即ち先端部分が回転方向に対し後方となるため、係止部材１５が破損する恐れをなくすことができる。従って又その際の、連接部１０破断の恐れをなくすことができる。
【００２４】
この発明は前記のように構成されたことにより、キャッピングの際に抵抗が少く、従って連接部１０破損の恐れをなくすことができる。この発明は、前記のように構成されたことにより、キャップ８装着の際はリング１１が突部４により上方に加圧され、このためアーム１８及び係止部１６が傾斜部７の下面に加圧された場合の支持部として役立ち、アーム１８及び係止部１６が変形してしまうのを防止できる。又キャップ８開放の際は係止部１６が突部４を押し上げる場合にはアーム１８を介してリング１１に圧接して反力を生じ、係止部１６が上方から押圧されて変形してしまうのを防止することができ、これによりキャップ開放の際に連接部１０に破断の力が直達し、壮快に破断させることができる。
【００２５】
この発明は前記のように構成されたことにより、不正な開放の際にリング１１は容器１の口部２外側を落下し、容器１の口部２外側に留まることができないので、開放されたことを容易に認めることができる。
【図面の簡単な説明】
【図１】この発明の実施例を示し、容器の開閉装置の部分であるキャップの部分断面図である。
【図２】同じく容器の開閉装置の部分断面図である。
【図３】図２に示す装置の部分の斜視断面図である。
【図４】図３に示す装置の部分の斜視断面図である。
【図５】図１のＡ−Ａ線矢視断面図である。
【図６】図１に示すキャップの成型の際の金型構成を示す断面図である。
【符号の説明】
１        容器
２        口部
３        螺条
４        突部
５        頂壁
６        筒部
７        傾斜部
８        キャップ
９        本体
１０        連接部
１１        リング
１２        基端部
１３        内周面
１４        先端部
１５        係止部材
１６        係止部
１７        上面
１８        アーム
１９        内面
２０        斜面
２１        斜面
２２        上面
３１        脚部
【図１】
0003988155.tif 000002
【図２】
0003988155.tif 000003
【図３】
0003988155.tif 000004
【図４】
0003988155.tif 000005
【図５】
0003988155.tif 000006
【図６】
0003988155.tif 000007